(57)【要約】      （修正有）【課題】ルアーヘッド表面への傷付きを未然に防止し、ルアーヘッドの良好な光反射を半永久的に保持する。【解決手段】光反射片が内蔵されたルアーヘッド１１と、このルアーヘッド１１の後端に取り付けられた疑似餌１２と、ルアーヘッド１１の軸心部を貫通して疑似餌１２側へ挿通された道糸１５に針連結部材１６を介して結合された釣針１３とを有する魚釣り用ルアーにおいて、ルアーヘッド１１の外表面を、これに着脱可能に装着される透明な保護カバー１４により覆う構成にした。【選択図】図１
0003102359.tif 000002
【実用新案登録請求の範囲】
【請求項１】
光反射片を内蔵するルアーヘッドと、前記ルアーヘッドの後端に取り付けられた疑似餌と、前記ルアーヘッドの軸心部を貫通して前記疑似餌側へ挿通された道糸に針連結部材を介して結合された釣針と、前記ルアーヘッドの外表面にこれを覆うように着脱可能に装着された透明な保護カバーとを備えることを特徴とする魚釣り用ルアー。
【請求項２】
前記ルアーヘッドは、外周囲が多角形を呈するように角柱状に成形された透明な合成樹脂からなるヘッド本体と、前記ヘッド本体の内部に該ヘッド本体の多角形の各面及びヘッド本体の一端面に対応するようにして外表面寄り個所にそれぞれ埋設された光反射片とを有し、前記ヘッド本体の軸心部には前記道糸が挿通される貫通孔が形成され、さらに前記ヘッド本体の他端部には前記疑似餌が取着される取り付け部が形成されていることを特徴とする請求項１記載の魚釣り用ルアー。
【請求項３】
前記光反射片は、貝、牛角もしくはガラスから構成されていることを特徴とする請求項１または２記載の魚釣り用ルアー。
【請求項４】
前記保護カバーは、前記ルアーヘッドを構成するヘッド本体の外周囲に密着状態に嵌合される可撓性の筒状部と、前記ヘッド本体の一端面が覆われるように前記筒状部の一端に接合された平板部とから構成され、前記平板部には前記道糸が挿通される孔が形成されていることを特徴とする請求項１記載の魚釣り用ルアー。
【考案の詳細な説明】
【技術分野】
【０００１】
本考案は、カジキマグロなどの大形海遊魚のトローリング用ルアー等に使用される魚釣り用ルアーに関するものである。
【背景技術】
【０００２】
従来、カジキマグロなどのトローリングに使用される魚釣り用ルアーは、ルアーヘッドと、このルアーヘッドの後端に取り付けたイカやタコなどの形状を呈する疑似餌と、この疑似餌のスカート部または吹流し部内に収容されルアーヘッドの軸心を貫通して挿通される道糸に結合された釣針とから構成されている。
【０００３】
前記ルアーヘッドには、天然の貝片や赤牛などの牛角片またはガラス片などを透明な合成樹脂内に埋め込んでブロック状に成形したものが使用される。このようなルアーヘッドの貝片や牛角片などは水中または海水中で光を反射することにより、あたかもイカやタコまたは小魚などの肌色のような光沢を発生させ、これにより、集魚効果を発揮できるようになっている。
【特許文献１】特開昭６１−５６０３２号公報
【考案の開示】
【考案が解決しようとする課題】
【０００４】
しかし、このような従来の魚釣り用ルアーにおけるルアーヘッドの表面は露出されているため、トローリング中に魚に噛まれたり、または他の物体と摩擦し合ったりすると、ルアーヘッドの表面に大小無数の傷が形成されてしまう。その結果、魚釣り用ルアーを水中または海水中に入れた時にルアーヘッドの表面が曇ってしまい、貝片や牛角片などよる光反射が大幅に低下するとともに集魚効果も低下し、魚釣り用ルアーとして利用価値も低下してしまう。このため、このような魚釣り用ルアーは、ルアーヘッド自体が比較的高価なものであっても、疑似餌を含むルアーヘッドを破棄せざるを得なくなり、資源の無駄となるという問題がある。
【０００５】
本考案は、上記のような従来の問題を解決するためになされたもので、ルアーヘッド表面への傷付きを未然に防止し、ルアーヘッドの良好な光反射を半永久的に保持できるようにした魚釣り用ルアーを提供することを目的とする。
【課題を解決するための手段】
【０００６】
上記目的を達成するために本考案にかかる魚釣り用ルアーは、光反射片を内蔵するルアーヘッドと、前記ルアーヘッドの後端に取り付けられた疑似餌と、前記ルアーヘッドの軸心部を貫通して前記疑似餌側へ挿通された道糸に針連結部材を介して結合された釣針と、前記ルアーヘッドの外表面にこれを覆うように着脱可能に装着された透明な保護カバーとを備えることを特徴とする。
【考案の効果】
【０００７】
本考案の魚釣り用ルアーにおいては、ルアーヘッドの外表面が保護カバーにより覆われるため、この保護カバーがトローリング中に魚に噛まれたり、または他の物体と摩擦し合うことにより、ルアーヘッド表面への傷付きを未然に防止できるとともに、保護カバーの表面に大小無数の傷が付いても、この保護カバーを新しい保護カバーと交換するだけで、ルアーヘッドの良好な光反射を半永久的に保持できる。
【考案を実施するための最良の形態】
【０００８】
本考案の実施例における最良の形態では、光反射片が内蔵されたルアーヘッドと、このルアーヘッドの後端に取り付けられた疑似餌と、ルアーヘッドの軸心部を貫通して疑似餌側へ挿通された道糸に針連結部材を介して結合された釣針とを有する魚釣り用ルアーにおいて、ルアーヘッドの外表面を、これに着脱可能に装着される透明な保護カバーにより覆う構成にした。これにより、ルアーヘッド表面への傷付きが未然に防止され、保護カバーを新しい保護カバーと交換するだけで、ルアーヘッドの良好な光反射を半永久的に保持できる。
【実施例１】
【０００９】
次に、本考案の実施例１について、図１〜図３を参照して説明する。
図１は本考案にかかる魚釣り用ルアーの全体構成を示す斜視図、図２は図１の２−２線に沿う拡大断面図、図３は図１の縦断側面図である。
図１〜図３において、魚釣り用ルアー１０は、ルアーヘッド１１と、疑似餌１２と、釣針１３と、透明な保護カバー１４を備えている。
【００１０】
前記ルアーヘッド１１は、水中または海中で光をあらゆる方向に反射して集魚機能を発揮させるもので、外周囲が多角形を呈するように角柱状に成形された透明な合成樹脂からなるヘッド本体１１１と、このヘッド本体１１１の多角形の各面１１１ａ及びヘッド本体１１１の一端面１１１ｂと対応する外表面寄りの内部個所にヘッド本体１１１の全表面を覆うようにしてそれぞれ埋設された光反射片１１２，１１３とを有している。
【００１１】
前記ヘッド本体１１１の各面１１１ａに対応して埋設された光反射片１１２は、天然の貝や赤牛の牛角またはガラスを各面１１１ａに対応した幅及び長さを有する薄い細幅片に加工することで構成され、また、ヘッド本体１１１の一端面１１１ｂに対応して埋設された光反射片１１３は、天然の貝や赤牛の牛角またはガラスを一端面１１１ｂに対応した表面積を有する薄い片に加工することで構成され、そして、これら光反射片１１２，１１３は、ヘッド本体１１１の樹脂成形時に一体的に埋設されるものである。
また、前記ヘッド本体１１１の軸心部には道糸１５が挿通される貫通孔１１４が形成され、さらに、ヘッド本体１１１の他端部外周には疑似餌取り付け段部１１５が形成されている。
【００１２】
前記疑似餌１２はヘッド本体１１１の疑似餌取り付け段部１１５に取着されるもので、例えばイカに似せて形作られている。このイカに似せた疑似餌１２は、シリコン系樹脂のような柔軟で弾性のある樹脂材からなるチューブ体を用いて、イカに似せた疑似餌１２の胴部１２ａを構成し、この胴部１２ａの後端には、胴部１２ａに連なるチューブ体に長手方向に沿うスリットをチューブ体の円周方向に所望の間隔で多数形成することにより、イカの足に相当する吹流し部１２ｂが形成されている。
【００１３】
なお、胴部１２ａの表面及び吹流し部１２ｂの表面にはアルミ箔等からなる光反射用の細片が多数接着され、この光反射用細片によって疑似餌１２自体に光反射による集魚機能が発揮し得るように構成されている。
【００１４】
前記釣針１３は、疑似餌１２の吹流し部１２ｂに位置するように配置されるもので、この釣針１３はヘッド本体１１１の貫通孔１１４に挿通された道糸１５の疑似餌１２側端に針連結部材１６を介して結合されている。
【００１５】
前記透明な保護カバー１４は、シリコン系樹脂または塩化ビニル系樹脂のような柔軟で弾性のある透明樹脂材からなるもので、ヘッド本体１１１の多角形の外周囲に密着状態に嵌合される筒状部１４１と、ヘッド本体１１１の一端面１１１ｂが覆われるように筒状部１４１の一端に接合された平板部１４２とから構成され、前記平板部１４２には道糸１５が挿通される孔１４２ａが形成されている。
【００１６】
このような本実施例１による魚釣り用ルアー１０によれば、ルアーヘッド１１のヘッド本体１１１の外表面１１１ａ及び一端面１１１ｂを、これに着脱可能に装着される透明な保護カバー１４により覆う構成にしたので、ルアーヘッド１１の水中または海中での光反射による集魚効果を十分に発揮し得るとともに、保護カバー１４で覆われたルアーヘッド１１がトローリング中に魚により噛まれたり、または他の物体と摩擦し合ったりしてもヘッド本体１１１の表面に傷が付くのを未然に防止でき、しかも、損傷された保護カバーを新しい保護カバーと交換するだけで、ルアーヘッドの良好な光反射を半永久的に保持することができる。これにより、資源の無駄をなくすことができる。
【００１７】
なお、上記の実施例１では、ルアーヘッド１１を構成するヘッド本体１１１の外表面が多角形状を有する場合について説明したが、本考案はこれに限らず、円筒形、楕円筒形などの種々の形状のものに変更し得るほか、このルアーヘッド１１の後端に連結される疑似餌１２も実施例１に示すイカに似せたものに限らず、タコや魚に似せた疑似餌であってもよい。
【００１８】
また、ヘッド本体１１１内に埋設される光反射片１１２は上記実施例１に示す形状のものに限定されず、要は水中または海水中で光を効率よく反射して集魚機能を発揮し得るものであれば、その形状及び配列構造はどのようなものであってもよい。
【００１９】
また、ヘッド本体１１１の外表面を覆う保護カバー１４は、上記実施例１に示す形状のものに限定されず、要はヘッド本体１１１の外周に密着して嵌合される構造のものであれば、どのような形状のものであってもよい。
【図面の簡単な説明】
【００２０】
【図１】本考案にかかる魚釣り用ルアーの全体構成を示す斜視図である。
【図２】図１の２−２線に沿う拡大断面図である。
【図３】図１の縦断側面図である。
【符号の説明】
【００２１】
１０      魚釣り用ルアー
１１      ルアーヘッド
１１１    ヘッド本体
１１２，１１３      光反射片
１１４    貫通孔
１１５    疑似餌取り付け段部
１２      疑似餌
１３      釣針
１４      保護カバー
１４１    筒状部
１４２    平板部
１４２ａ  孔１
１５      道糸
１６      針連結部材
【図１】
0003102359.tif 000003
【図２】
0003102359.tif 000004
【図３】
0003102359.tif 000005